【手続補正書】
【提出日】平成19年5月14日(2007.5.14)
【手続補正１】
【補正対象書類名】明細書
【補正対象項目名】特許請求の範囲
【補正方法】変更
【補正の内容】
【特許請求の範囲】    【請求項１】  複数のドレイン線およびこのドレイン線と直交する複数のゲート線の各交叉部に画素を配置した一方の基板とカラーフィルタを有する他方の基板を貼り合わせてなる液晶パネルと、  上記ゲート線の延在方向に配置して、上記複数のドレイン線の所定の群ごとに対応して配置した画素に表示データ信号に基づく階調電圧信号を印加する複数個のドレインドライバと、上記ドレイン線の延在方向に配置して当該ドレイン線に沿う画素に走査電圧信号を印加する複数個のゲートドライバと、  外部より入力した表示信号とタイミング信号に基づいて表示データ信号と画素クロックを含む高速と低速の各種クロック信号を生成するタイミングコンバータとを有し、  上記液晶パネルの一方の基板上に直接形成した少なくとも上記ドレインドライバおよび各ドレインドライバ間に上記表示データ信号、階調電圧信号、および画素クロック信号を含む高速と低速の各種クロック信号を順次直列に転送するための配線を有し、  上記ドレインドライバ毎の当該ドレインドライバへの表示データ、階調電圧信号の入力側と出力側の一方または双方に上記画素クロック信号で制御されるゲート回路を設けたことを特徴とする液晶表示装置。    【請求項２】  前記ドレインドライバの表示データ信号の出力側と画素クロック信号の出力側に当該ドレインドライバ自身が表示データ信号を取り込んでいる間は次段への表示データ線、画素クロック線への当該表示データ信号、画素クロック信号の転送を禁止し、表示データ信号の取り込みが終了した時点で次段への表示データ信号、画素クロック信号の転送を開始するゲート回路を設けたことを特徴とする請求項１記載の液晶表示装置。    【請求項３】  前記タイミングコンバータを前記液晶パネルの一方の基板上に搭載したことを特徴とする請求項１または２記載の液晶表示装置。    【請求項４】  前記ドレインドライバは分圧回路からなる階調電圧生成回路を有し、該分圧回路の基準電圧入力側にバッファアンプを設置したことを特徴とする請求項１ないし３記載の液晶表示装置。    【請求項５】  高速デジタル信号である前記表示データ信号および画素クロック信号用の配線と、低速デジタル信号である前記画素クロック信号以外のクロック信号用の配線、および低速アナログ信号である前記階調電圧用の配線の線幅を、上記各信号の許容抵抗値に応じて異ならせたことを特徴とする請求項１〜４記載の液晶表示装置。    【請求項６】  前記表示データ信号用の配線抵抗を前記画素クロック信号用の配線の抵抗と同等の値とすると共に前記配線に形成するドレインドライバ接続用端子の大きさを前記高速デジタル信号配線と低速アナログ信号配線とで異ならせたことを特徴とする請求項５記載の液晶表示装置。    【請求項７】  前記高速デジタル信号用のドレインドライバ接続用端子をドレインドライバの短辺側に千鳥状に配置すると共に、上記接続用端子の当該ドレインドライバの一方の短辺での配置を対向する短辺に平行移動させた配置として前記配線抵抗を揃えることを容易にしたことを特徴とする請求項５または６記載の液晶表示装置。    【請求項８】  前記低速デジタル信号用およびアナログ信号用のドレインドライバ接続用端子を当該ドレインドライバ���長辺側に配置したことを特徴とする請求項７記載の液晶表示装置。    【請求項９】  前記ドレインドライバのドレイン線を駆動する出力端子を当該ドレインドライバを搭載する基板外縁側長辺に配置したことを特徴とする請求項５〜８記載の液晶表示装置。    【請求項１０】  前記ドレインドライバのドレイン線を駆動する出力端子を当該ドレインドライバを搭載する基板外縁側長辺に配置すると共に、上記出力端子から基板切断線の外側に形成した共通配線に接続したことを特徴とする請求項５〜９記載の液晶表示装置。    【請求項１１】  前記ドレインドライバ用の電源バンプを２列に配置して接続抵抗を低減したことを特徴とする請求項５〜１０記載の液晶表示装置。    【請求項１２】  前記ドレインドライバの基板内側に配置する前段ドレインドライバからの配線と接続する端子および次断ドレインドライバへの配線と接続する端子を、当該ドレインドライバの短辺と平行な方向の寸法仕様が異なる２種のドレインドライバに兼用するために当該ドレインドライバの短辺と平行な方向に２段に形成したことを特徴とする請求項５〜１１記載の液晶表示装置。    【請求項１３】  フレキシブルプリント基板の配線に接続する前記ドレインドライバの電源供給端子を基板の切断線側に当該基板の外縁に沿って順次階段状に配置したことを特徴とする請求項５〜１２記載の液晶表示装置。    【請求項１４】  前記ドレインドライバに電源を供給するための電源線および接地線を形成したフレキシブルプリント基板を有し、このフレキシブルプリント基板を外部プリント基板と接続する部分を除いて前記液晶パネルの一方の基板の上記ドレインドライバ実装面にのみ配置したことを特徴とする請求項１３記載の液晶表示装置。    【請求項１５】  前記フレキシブルプリント基板が前記ドレインドライバの配列間隙に突出部を有し、上記突出部に電子部品を搭載したことを特徴とする請求項１４記載の液晶表示装置。    【請求項１６】  前記フレキシブルプリント基板の端縁が前記液晶パネルの一方の基板の端縁から僅かに突出していることを特徴とする請求項１４または１５記載の液晶表示装置。    【請求項１７】 第１の基板と、前記第１の基板に貼り合わされる第２の基板と、前記第１の基板と前記第２の基板に挟まれる液晶層とを有し、  前記第１の基板の第１の辺沿いに並ぶ複数のドレイン線と、前記第１の辺に隣接する第２の辺沿いに並び且つ前記複数のドレイン線と交差する複数のゲート線と、前記複数のゲート線の一つにより制御され且つ前記複数のドレイン線の一つから表示データ信号に応じた電圧信号を受けるスイッチング素子を夫々備えた複数の画素とを含む液晶パネルと、  前記第１の基板の周縁に前記第の１辺沿いに並べて実装され、その各々は前記複数のドレイン線の対応する一群に前記電圧信号を印加する複数のドレインドライバと、  前記第１の基板の周縁に前記第２の辺沿いに並べて実装され、その各々は前記複数のゲート線に対応する一群に走査信号を印加する複数のゲートドライバと、  前記第１の基板の前記第１の辺に実装され、且つ前記複数のドレインドライバの各々へは電源を、前記複数のドレインドライバの前記第２の辺に最も近い一つへは前記表示データ信号を、各々供給するフレキシブルプリント基板とを有し、  前記フレキシブルプリント基板は、前記第１の辺沿いに延びた延長部分を有し、前記延長部分には前記複数のドレインドライバの各々に前記電源を供給する電源供給線のみが形成され、且つ前記電源供給線は前記複数のドレインドライバの電源入力端子に夫々接続され、  前記データ信号は、前記第１の基板に形成された中継配線を通して前記フレキシブルプリント基板から、前記第２の辺に最も近い前記ドレインドライバへ転送され、前記複数のドレインドライバの各々の内部と前記第１の基板上に形成され且つ前記複数のドレインドライバの前記第１の辺沿いに隣接した一対の何れかを夫々接続する配線とを通して前記複数のドレインドライバ間を順次転送されることを特徴とする液晶表示装置。    【請求項１８】 第１の基板と、前記第１の基板に貼り合わされる第２の基板と、前記第１の基板と前記第２の基板に挟まれる液晶層とを有し、  前記第１の基板の第１の辺沿いに並ぶ複数のドレイン線と、前記第１の辺に隣接する第２の辺沿いに並び且つ前記複数のドレイン線と交差する複数のゲート線と、前記複数のゲート線の一つにより制御され且つ前記複数のドレイン線の一つから表示データ信号に応じた電圧信号を受けるスイッチング素子を夫々備えた複数の画素とを含む液晶パネルと、  前記第１の基板の周縁に前記第の１辺沿いに並べて実装され、その各々は前記複数のドレイン線の対応する一群に前記電圧信号を印加する複数のドレインドライバと、  前記第１の基板の周縁に前記第２の辺沿いに並べて実装され、その各々は前記複数のゲート線に対応する一群に走査信号を印加する複数のゲートドライバと、  前記第１の基板の前記第１の辺に実装され、且つ前記複数のドレインドライバの各々へは電源を、前記複数のドレインドライバの前記第２の辺に最も近い一つへは前記表示データ信号を、各々供給する第１のフレキシブルプリント基板と、  前記第１の基板の前記第１の辺に実装され、前記複数のドレインドライバの各々に前記電源を供給する電源供給線のみが形成され、且つ電源供給線の各々が前記第１の基板に形成された前記複数のドレインドライバの電源入力端子毎に接続されるように前記第１辺沿いに延びた第２のフレキシブルプリント基板とを有し、  前記第２のフレキシブルプリント基板に形成された前記電源供給線の各々は、前記第１の基板に形成された電源中継配線及び前記電源中継配線を通して前記第１のフレキシブルプリント基板に形成された前記電源中継配線の延長線に接続され、  前記データ信号は、前記第１の基板に形成された中継配線を通して前記第１のフレキシブルプリント基板から、前記第２の辺に最も近い前記ドレインドライバへ転送され、前記複数のドレインドライバの各々の内部と前記第１の基板上に形成され且つ前記複数のドレインドライバの前記第１の辺沿いに隣接した一対の何れかを夫々接続する配線とを通して前記複数のドレインドライバ間を順次転送されることを特徴とする液晶表示装置。    【請求項１９】 前記第１のフレキシブルプリント基板は、前記複数のゲートドライバに電源とデータ信号とを夫々供給することを特徴とする請求項１８に記載の液晶表示装置。    【請求項２０】  複数のドレイン線およびこのドレイ��線と直交する複数のゲート線の各交叉部に画素を配置した一方の基板とカラーフィルタを有する他方の基板を貼り合わせてなる液晶パネルと、  上記一方の基板の上記ゲート線の延在方向周縁に直接実装して、上記複数のドレイン線の所定の群ごとに対応して配置した画素に表示データ信号に基づく階調電圧信号を印加する複数個のドレインドライバと、  上記一方の基板の上記ドレイン線の延在方向周縁に直接実装して当該ドレイン線に沿う画素に走査電圧信号を印加する複数個のゲートドライバと、  上記一方の基板に直接形成して上記ドレインドライバ間に上記表示データ信号、階調電圧信号、および画素クロック信号を含む高速と低速の各種クロック信号を順次直列に転送するためのドレインデータ配線と、  上記一方の基板に直接形成して上記ゲートドライバ間に上記走査電圧信号および走査クロック信号を順次直列に転送するためのゲートデータ配線と、ゲートドライバ電源配線と、  上記一方の基板の上記ドレインドライバの外側周辺に沿ってドレインドライバ電源配線のみを形成したドレインドライバ電源配線用フレキシブルプリント基板を配置するとともに、  上記ドレインデータ配線に接続するドレインデータ接続配線と上記ゲートデータ配線に接続するゲートデータ接続配線と上記ゲートドライバ電源配線に接続するゲートドライバ電源接続配線とを形成したインターフェース配線用フレキシブルプリント基板を上記一方の基板の上記ゲートドライバ側に配置したことを特徴とする液晶表示装置。